(57)【特許請求の範囲】
【請求項１】
第１のオーダ情報を基に第１の検査をする第１の検査装置と、第２のオーダ情報を基に異なるモダリティの第２の検査をする第２の検査装置とによる、複数のモダリティを組み合わせて検査を実施する複合検査のオーダを受けた場合は、前記第１のオーダ情報に前記第２の検査を特定する第１の付帯情報を付加して第１の検査装置へと送るとともに、前記第２のオーダ情報に前記第１の検査を特定する第２の付帯情報を付加して第２の検査装置へ送る情報付加手段と、
前記第１の検査装置および第２の検査装置それぞれの検査で取得された各医用画像とそれを特定する各検査情報とを、前記第１及び第２の付帯情報のそれぞれに関連づけられた状態で記憶する記憶手段と、
表示手段と、
前記記憶手段に記憶されている前記各検査情報及び前記第１及び第２の付帯情報を含み、検査の種類で行分けされたリストであって、第１の検査に第１の付帯情報がある場合または第２の検査に第２の付帯情報がある場合は、いずれも前記複合検査で１検査として表示するリストを前記表示手段に表示させる表示制御手段と、
操作手段とを備え、
前記表示制御手段は、表示されている前記リストからいずれかの検査情報が前記操作手段によって選択されたときは、選択された検査情報により特定される医用画像を前記記憶手段から読み出して、前記表示手段に表示させる
ことを特徴とする医用画像管理システム。
【請求項２】
前記表示制御手段は、表示されている前記リストから前記第１または第２の付帯情報が付加された検査情報が前記操作手段によって選択されたときは、選択された検査情報および検査情報に付加された付帯情報で特定される第１の検査による医用画像および第２の検査による医用画像の双方を前記記憶手段から読み出して、前記表示手段に表示させる
ことを特徴とする請求項１に記載の医用画像管理システム。
【請求項３】
第１のオーダ情報を基に第１の検査をする第１の検査装置と、第２のオーダ情報を基に異なるモダリティの第２の検査をする第２の検査装置とによる、複数のモダリティを組み合わせて検査を実施する複合検査のオーダを受けた場合は、前記第１のオーダ情報に前記複合検査であることを示す共通の情報を付加して第１の検査装置に送るとともに、前記第２のオーダ情報に前記共通の情報を付加して第２の検査装置に送る共通の情報付加手段と、
前記第１の検査装置および第２の検査装置それぞれの検査で取得された各医用画像とそれを特定する各検査情報とを、前記第１及び第２のオーダ情報に付加された前記共通の情報のそれぞれに関連づけられた状態で記憶する記憶手段と、
表示手段と、
前記記憶手段に記憶されている前記各検査情報及び前記共通の複合検査情報を含み、検査の種類で行分けされたリストであって、前記第１の検査または第２の検査にかかる検査情報に前記共通の情報が結合している場合は、いずれも前記複合検査で１検査として表示するリストを前記表示手段に表示させる表示制御手段と、
操作手段とを備え、
前記表示制御手段は、表示されている前記リストからいずれかの検査情報が前記操作手段によって選択されたときは、選択された検査情報により特定される医用画像を前記記憶手段から読み出して、前記表示手段に表示させる
ことを特徴とする医用画像管理システム。
【請求項４】
前記表示制御手段は、表示されている前記リストから、前記共通の情報が付加された検査情報が前記操作手段によって選択されたときは、選択された共通の情報で特定される第１の検査による医用画像及び第２の検査による医用画像の双方を前記記憶手段から読み出して、前記表示手段に表示させる
ことを特徴とする請求項３に記載の医用画像管理システム。
【請求項５】
複数のモダリティを組合せて実施する複合検査にかかる第１の検査装置によって取得された第１の医用画像データと、異なるモダリティの第２の検査装置によって取得された第２の医用画像データとを表示可能な画像表示装置であって、
外部装置から、前記第１の医用画像データまたは第２の医用画像データにそれぞれ対応付けられて記憶された、患者識別情報、検査の種類を含む検査情報と、前記複合検査の場合における他方の検査の種類を特定する付帯情報とを取得する情報取得手段と、
取得した前記検査情報に基づき検査情報を検査の種類で行分けしたリストを表示させるとともに、該検査情報に前記付帯情報がある場合には、該検査情報に含まれる前記検査の種類と、該付帯情報に基づく前記他の検査の種類とを前記複合検査で１検査として該リストに表示させる表示制御手段と、
操作手段とを備え、
前記表示制御手段は、表示されている前記リストからいずれかの検査情報が前記操作手段によって選択されたときは、選択された検査情報により特定される医用画像データを前記外部装置から読み出して、前記表示手段に表示させる
ことを特徴とする画像表示装置。
【請求項６】
前記表示制御手段は、前記リストにおいて前記操作手段により選択された前記検査情報に前記付帯情報がある場合、選択された該検査情報に基づき前記第１の医用画像データと、該付帯情報に基づき前記第２の医用画像データとを前記外部装置から取得して、表示させる
ことを特徴とする請求項５に記載の画像表示装置。
【請求項７】
複数の検査装置を組合せて実施する複合検査にかかる第１の検査装置によって取得された第１の医用画像データと、異なるモダリティの第２の検査装置によって取得された第２の医用画像データとを表示可能な画像表示装置であって、
外部装置から、前記第１の医用画像データまたは第２の医用画像データにそれぞれ対応付けられて記憶された、患者識別情報、検査の種類を含む検査情報と、前記複合検査であることを示す共通の情報を特定する付帯情報を取得する情報取得手段と、
取得した前記検査情報に基づき検査情報を検査の種類で行分けしたリストを表示させるとともに、該検査情報に前記付帯情報がある場合には、該検査情報に含まれる前記検査の種類と、該付帯情報の前記共通の情報に基づき他方の検査の種類とを前記複合検査で１検査として該リストに表示させる表示制御手段と、
操作手段とを備え、
前記表示制御手段は、表示されている前記リストからいずれかの検査情報が前記操作手段によって選択されたときは、選択された検査情報により特定される医用画像データを前記外部装置から読み出す
ことを特徴とする画像表示装置。
【請求項８】
前記表示制御手段は、前記リストにおいて前記操作手段により選択された前記検査情報に前記付帯情報がある場合、選択された該検査情報に基づき前記第１の医用画像データと、該付帯情報の前記共通の情報に基づき前記第２の医用画像データとを前記外部装置から取得して、表示させる
ことを特徴とする請求項７に記載の画像表示装置。
【発明の詳細な説明】
【技術分野】
【０００１】
本発明は、医療用診断に用いられる医用画像を取得する医用画像管理システムおよび医用画像を表示する画像表示装置に関する。具体的には、複数のモダリティを用いた複合検査における画像情報を管理する技術に関する。
【背景技術】
【０００２】
近年コンピュータの処理速度が向上し、医用画像の分野において、Ｘ線診断装置、Ｘ線ＣＴ（Ｃｏｍｐｕｔｅｄ  Ｔｏｍｏｇｒａｐｈｙ：Ｘ線コンピュータトモグラフィ）装置、ＭＲＩ（Ｍａｇｎｅｔｉｃ  Ｒｅｓｏｎａｎｃｅ  Ｉｍａｇｉｎｇ：磁気共鳴イメージング）装置、超音波診断装置（Ｕｌｔｒａｓｏｎｉｃ  ｄｉａｇｎｏｓｔｉｃ  ｅｑｕｉｐｍｅｎｔ）、ＮＭ（Ｎｕｃｌｅａｒ  Ｍｅｄｉｃｉｎｅ：核医学）等さまざまな医用画像診断のモダリティが出現するに至った。
【０００３】
このように、さまざまなモダリティが出現するに至ったことに伴い、形成される医用画像および動画も多様化している。生成された医用画像等はそれぞれを比較して診断が行われるものであるため、病院等医療機関内で共通に管理されるようになった。
【０００４】
この医療機関内で取扱われるデータを、各機器や各装置間でやりとりするネットワークとして、例えば、ＨＩＳ（Ｈｏｓｐｉｔａｌ  Ｉｎｆｏｒｍａｔｉｏｎ  Ｓｙｓｔｅｍ：病院内情報システム）やＲＩＳ（Ｒａｄｉｏｌｏｇｙ  Ｉｎｆｏｒｍａｔｉｏｎ  Ｓｙｓｔｅｍ：放射線科情報システム）やＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ：医用画像保管通信システム）等が形成されるようになった。
【０００５】
ＨＩＳは、多数の患者の受付（総合受付）を行うとともに、内科や外科などの担当診療科への受付の処理、患者の個人情報（氏名、年齢、住所、来院 履歴、治療状況）の管理、診療費の会計処理を行っている。
【０００６】
ＲＩＳは、ＨＩＳやＰＡＣＳなどとオンラインで連携して、放射線科における医用画像診断装置等の医療機器による診療の予約、検査受付、検査データの読影、保管、医療日の会計処理までを一貫して行うサポートシステムである。
【０００７】
ＰＡＣＳは、画像サーバを有し、前述のようにＨＩＳやＲＩＳ等と連携して各種の画像診断機器によって得られる画像をデジタルで保管・通信・表示・読影できるシステムである。大容量保管媒体高速通信網、薄型多画面ディスプレイ、アプリケーションソフトなどを利用し、ＰＡＣＳと連携することにより、膨大なデータ量となる医用画像データの画質を劣化させずに効率よく処理することが可能となる。
【０００８】
ところで、前述のように医用画像診断手法が多様化している中にあっては、ある特定の医用画像診断装置を用いるとともに、別個の医用画像診断装置を組み合わせて用いることによって、各医用画像診断装置それぞれの特性を活かして患者（被検体）の特定部位について診療を実施する複合検査が行われるようになってきている。このように、医用画像診断の分野において、既存のモダリティを組み合わせて診療を行うことは、各モダリティの特性を活かしつつ、各モダリティにおいて不足していた性能を補うことを可能とし、医用画像診断の精度の向上につながるものである。
【０００９】
例えば従来、循環器の造影検査において、患者の血流状態などを造影する際、Ｘ線診断装置を用いて２次元画像を形成する血管造影検査法等が用いられていたが、複雑で立体的な血流を造影するためにＩＶＲ−ＣＴ（ＩｎｔｅｒＶｅｎｔｉｏｎａｌＲａｄｉｏｌｏｇｙ−Ｃｏｍｐｕｔｅｄ  Ｔｏｍｏｇｒａｐｈｙ）／Ａｎｇｉｏシステムなどが用いられるようになったこともその一例である。
【００１０】
ＩＶＲ−ＣＴ／Ａｎｇｉｏシステムは、Ｘ線診断装置による血管造影検査システムとＣＴシステムを、同一の検査室において組み合わせ、血管造影検査下でＣＴ検査を行い、診療が行われるものである。ＣＴを使用することにより、血管と病変の位置関係などを３次元的に把握可能とし、被検体を移送することにより実施していたＣＴ−Ａｎｇｉｏ検査が１つの撮影室で実施出来るようになった。また、短時間に各医用画像診断装置の優れた画像情報を繰り返し得ることが可能となり、複雑繊細な血管を正確に描出して高度なＩＶＲ技術（患者にとって負担を少なくするため医用画像診断の技術を駆使して治療を行う技術）を支援するシステムである。
【００１１】
その他、単光子放出断層撮影を行うＳＰＥＣＴとＸ線ＣＴ装置とを組み合わせたＳＰＥＣＴ−ＣＴや、陽電子放出断層撮影を行うＰＥＴ装置とＸ線ＣＴ装置とを組み合わせたＰＥＴ−ＣＴ、ＰＥＴ装置とＭＲＩ装置を組み合わせたＰＥＴ−ＭＲＩなど、複数のモダリティを組み合わせて診療を実施する複合検査などもある。これらは核医学装置によって生成される画像からでは形態情報や位置情報が正確に得られないおそれがあることから、それを補うためにＸ線ＣＴ装置やＭＲＩ装置と組み合わされたものである。
【００１２】
これらの複合検査によって複数のモダリティから医用画像データが生成されるが、これら複数のモダリティから生成される医用画像データは複合検査として利用されるものであるから、診断に利用する際は、モダリティごとに参照されるのではなく、１つの複合検査として利用されるものである。
【００１３】
また、複合検査のスケジュール情報を含む管理システムについて、複数のモダリティごとに個々に独立して管理するのではなく、同一の複合検査にかかるスケジュール情報を統合的に管理する方法が提案されている（例えば、特許文献１）。
【先行技術文献】
【特許文献】
【００１４】
【特許文献１】特開２００５−２６１９５２号公報
【発明の概要】
【発明が解決しようとする課題】
【００１５】
ところで、医用画像診断装置によって生成された医用画像データは、複合検査であるか否かに関わらず、何らかの形で保管、表示、管理等されるものである。ここでは、ＨＩＳやＲＩＳを利用して医用画像データを管理している例を挙げる。
【００１６】
医用画像診断装置は、通常ＲＩＳとネットワークを通じて通信可能となっており、外科や内科、その他の科の端末などからＨＩＳを通してＲＩＳにオーダ（予約）が入り、そのオーダに基づいて検査や撮影等を行う。生成された医用画像データは、画像サーバ、ＰＡＣＳなどに記録や保管などの処理がなされ、閲覧する場合は、記録等された医用画像データに基づいて医用画像や動画を呼び出して表示される。
【００１７】
これらの医用画像データはその管理のため、患者を特定する患者情報（患者氏名やＩＤ等）や、検査を特定する検査情報（検査日付、検査モダリティ等）が付され、一覧表示して管理されている。例えば、図８に示すような、行方向に配列されたモダリティごとのリストの表示などから、ユーザがいずれか１つの行の検査項目を選択することによって、選択に応じた医用画像が表示されるようになっている。
【００１８】
このように、複数のモダリティにかかる検査情報が、モダリティごとに個別のものとして独立にリスト表示されていた。したがって、ユーザが前述の複合検査に係る医用画像データを閲覧しようとする場合、所望の医用画像が複合検査であるかについて、ユーザ自身が患者情報や検査情報等によって判断しなければならなかった。
【００１９】
しかしながら、医師等が複合検査であるか否かの判断をするに際し、リスト表示された患者情報や検査情報によって判断していかなければならないのは、煩雑である。また、同一の患者に対して同日に複合検査と他の検査が実施されたときは、各モダリティごとの検査であるのか、複合検査であるのかを明確に区別することが困難である。このような場合、誤って一方の検査を見落としてしまうおそれがあった。
【００２０】
また、複合検査であることをあらかじめ認識していても、個々の検査の患者情報や検査情報から複合検査であることを判断しなければならない上に、同一の複合検査に係る各モダリティごとに所望の医用画像を選択していかなければならず、煩雑であった。
【００２１】
したがって複合検査を行った場合、従来のように複合検査にかかる検査情報等をモダリティごとの個別の検査として表示するのではなく、複合検査である旨を明確に表示してほしいとの要望があった。
【００２２】
また、検査のためのオーダは、さまざまな診療科からＨＩＳ、ＲＩＳを通じて各モダリティに入るまでのいずれかの段階において複合検査かその他の検査かという区別がなされているものである。しかし、あるオーダ情報が複合検査にかかるものであるという情報は、医用画像データが生成された後においては有効に利用されていなかった。なお、オーダ情報とは、所望のモダリティで検査を行うための患者の情報、検査対象部位および検査条件を含む情報であり、オーダはこのオーダ情報に基づく検査実行指示である。
【００２３】
本発明は、以上の問題点に鑑みてなされたものであって、その目的は、前述の複合検査にかかる個々の検査情報等について、複合検査にかかるものであることを明確にする技術の提供を目的とする。さらには、この関連付けられた情報を表示することにより、医用画像等の閲覧をするユーザの判断を介することなく複合検査であることを認識可能として、煩雑さを回避し、ユーザが複合検査である旨を見落とすことを防止する医用画像管理システムおよび画像表示装置を提供することにある。
【００２４】
また、本発明の他の目的は、同一の複合検査にかかる医用画像をモダリティごとに検索して表示することなく、検査のオーダ時に生じた情報を有効に利用し、煩雑な作業を回避することができる医用画像管理システムおよび画像表示装置を提供することにある。
【課題を解決するための手段】
【００２５】
上述の課題を解決するために、実施形態の医用診断画像管理システムは、記憶手段と、情報付加手段と、表示手段と、表示制御手段と操作手段とを備える。情報付加手段は、第１のオーダ情報を基に第１の検査をする第１の検査装置と、第２のオーダ情報を基に異なるモダリティの第２の検査をする第２の検査装置とによる、複数のモダリティを組み合わせて検査を実施する複合検査のオーダを受ける。情報付加手段は、複合検査のオーダを受けると、第１のオーダ情報に第２の検査を特定する第１の付帯情報を付加して第１の検査装置へと送る。また、情報付加手段は、第２のオーダ情報に第１の検査を特定する第２の付帯情報を付加して第２の検査装置へ送る。記憶手段は、第１の検査装置と、第２の検査装置と、それぞれの検査で取得された各医用画像とそれを特定する各検査情報とを記憶する。また、記憶手段は、第１及び第２の付帯情報のそれぞれを、第１の検査および第２の検査のそれぞれの検査情報に関連づけられた状態で記憶する。表示制御手段は、記憶手段に記憶されている各検査情報及び第１及び第２の付帯情報を含み、検査の種類で行分けされたリストを表示手段に表示させる。さらに表示制御手段は、そのリストにおいて、第１の検査に第１の付帯情報がある場合または第２の検査に第２の付帯情報がある場合は、いずれも前記複合検査で１検査として表示させる。さらに表示制御手段は、表示されているリストからいずれかの検査情報が操作手段によって選択されたときは、選択された検査情報により特定される医用画像を記憶手段から読み出して、表示手段に表示させる。
【図面の簡単な説明】
【００２６】
【図１】実施形態の医用画像管理システムの全体構成図である。
【図２】実施形態の医用画像管理システムにかかる検査情報のリストのうち、検査日付ごとの検査情報の一覧を示す図である。
【図３】実施形態の医用画像管理システムにかかる検査情報のリストのうち、Ｘ線ＣＴ検査ごとの検査情報の一覧を示す図である。
【図４】実施形態の医用画像管理システムにかかる使用形態の一例を表すフローチャートである。
【図５】実施形態の医用画像管理システムにかかる使用形態の一例を表すフローチャートである。
【図６】実施形態の医用画像管理システムにかかる使用形態の一例を表すフローチャートである。
【図７】実施形態の医用画像管理システムにかかる使用形態の一例を表すフローチャートである。
【図８】従来の技術による医用画像管理システムにかかる検査情報のリストの示す図である。
【発明を実施するための形態】
【００２７】
以下、実施形態に係る医用画像管理システムにつき、図面を参照して説明する。
【００２８】
［システム構成］
（医用画像管理システム１の構成）
図１は、本発明の実施の形態にかかる医用画像管理システム１の概略構成を説明するための図面である。図１に示すように、医用画像管理システム１は、ＨＩＳ１０と、ＲＩＳ２０Ａと、複合検査制御部２０Ｂと、検査装置部２０Ｃ、画像サーバ３０とがネットワークを通じて接続されて構成される。図１における、画像表示装置４０は、医用画像管理システム１によって生成された医用画像等の情報がどのように表示され、診断に用いられるかを示す装置の一例を示すものである。なお、この実施形態にかかる医用画像管理システム１のネットワーク規格として、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）を用いてもよい。
【００２９】
（ＨＩＳ１０の構成）
ＨＩＳ１０は、医師端末１１や、図示しないＨＩＳ端末、受付端末、ＨＩＳサーバなどを備えて構成される。このＨＩＳ１０は、病院内情報システムであり、患者のＩＤ・氏名・性別・血液型等の患者に関する患者情報や、診療費等の会計情報や、Ｘ線検査のオーダ発行等、病院内の情報を統括的に管理するシステムである。なお、医師端末１１は医用画像管理システム１に検査のオーダをする装置の一例である（内科・外科・小児科等の医師端末など）。
【００３０】
例えば図１に示すように、ＨＩＳ１０は、ユーザ（医師等）によって医師端末（図１の医師端末１１等）から、検査情報（患者ＩＤ、患者氏名、検査日付、モダリティを特定する情報等）などが特定された検査のオーダ情報を受けると、ＲＩＳ２０Ａに当該オーダ情報を送信する。
【００３１】
ユーザが同一の患者に対し検査情報を特定するとき、例えば患者ＩＤ、患者氏名、検査日付などはＰＥＴ装置２６やＸ線ＣＴ装置２７などのモダリティの違いに関わらず共通に特定されるものである。しかし一方では、検査種類（モダリティ）の特定も行われるが、この場合、同一の患者に対してであっても、この検査種類は検査の方法が変わればそれに応じて特定されるものであり、モダリティの違いによってそれぞれ適した検査種類が特定される。
【００３２】
ここで、ユーザがオーダ情報の詳細を特定する際、実施しようとする検査がＰＥＴ−ＣＴ検査のような複合検査である場合は、検査のオーダ情報の特定時にユーザは、ＨＩＳ１０において複合検査である旨を決定する。複合検査である旨が決定されると、当該オーダ情報は複合検査についてのオーダ情報としてＲＩＳ２０Ａに送信される。
【００３３】
（ＲＩＳ２０Ａの構成）
ＲＩＳ２０Ａは、放射線科情報管理システムであり、ＲＩＳ制御部２１や、付帯情報付加部２２を備えて構成される。このＲＩＳ２０Ａは、ＣＲ（Ｃｏｍｐｕｔｅｄ  Ｒａｄｉｏｇｒａｐｈｙ）装置、ＳＰＥＣＴ−ＣＴ装置等を有して構成される検査装置部２０Ｃによる検査の予約情報、検査の受付情報、医用画像診断装置により生成された医用画像データ等、放射線科内の情報を統括的に管理するシステムである。
【００３４】
ＲＩＳ２０Ａは図１に示すように、その動作の一例として、ＨＩＳ１０から検査装置部２０Ｃによる検査のオーダ情報を受けて、そのオーダ情報に対応する検査装置部２０Ｃにおける医用画像診断装置（例えば、図１におけるＰＥＴ装置２６やＸ線ＣＴ装置２７など）による検査をするために、ＲＩＳ制御部２１に当該オーダ情報を送信する。
【００３５】
このとき、ＲＩＳ制御部２１は受信したオーダ情報を解読する。ＲＩＳ制御部２１の解読の結果、そのオーダ情報が複合検査についてのものであれば、ＲＩＳ２０Ａの付帯情報付加部２２によってオーダ情報に付帯情報を付加してから複合検査制御部２０Ｂに送信する。なお、オーダ情報を複合検査制御部２０Ｂに送信するときは、当該オーダにかかる画像の生成後、当該画像をＤＩＣＯＭ画像として管理・通信するために、検査情報（患者ＩＤや、検査日付、モダリティなどの情報）をタグ情報（ＤＩＣＯＭ  Ｔａｇ）に付加してもよい。
【００３６】
この付帯情報の付加とは、例えばＰＥＴ−ＣＴのような複合検査における、ＰＥＴ装置２６に送信するＰＥＴオーダ情報に対して、複合検査にかかる他方のモダリティであるＸ線ＣＴ装置２７を特定する情報を付加することをいう。このＸ線ＣＴ装置２７を特定する情報とは、例えば、Ｘ線ＣＴ装置２７を示すＩＤ情報をいう。なお、同様に、Ｘ線ＣＴ装置２７に送信するＣＴオーダ情報にも、付帯情報付加部２２により、ＰＥＴ装置２６を特定する情報（例えば、ＰＥＴ装置２６を示すＩＤ情報）が付加される。
【００３７】
（複合検査制御部２０Ｂの構成）
複合検査制御部２０Ｂは、操作部２３、画像装置制御部２４を備えて構成され、ＲＩＳ２０Ａからオーダ情報を受けて検査装置部２０Ｃに送信する。また、検査装置部２０Ｃから受けた医用画像データの処理をし、検査装置部２０Ｃに送信する。
【００３８】
複合検査制御部２０Ｂにおける操作部２３は、検査装置部２０ＣにおけるＰＥＴ装置２６やＸ線ＣＴ装置２７などの医用画像診断装置の操作を行うためのものである。また、画像装置制御部２４は、ユーザによる操作部２３の操作に応じてＰＥＴ装置２６に、前述の検査情報や、付帯情報付加部２２によりＸ線ＣＴ装置２７を特定する付帯情報などが付加されたＰＥＴオーダ情報を送信する。同様に、画像装置制御部２４により、Ｘ線ＣＴ装置２７には、ＰＥＴ装置２６を特定する付帯情報等が付加されたＣＴオーダ情報が送信される。
【００３９】
また、画像装置制御部２４は、ユーザによる操作部２３の操作等に応じて、検査装置部２０Ｃにおける撮影部２５、ＰＥＴ装置２６に対応する画像生成部２８ａ、Ｘ線ＣＴ装置２７に対応する画像生成部２８ｂと、その他、検査装置部２０Ｃの各部を統括して制御する。
【００４０】
（検査装置部２０Ｃの構成）
検査装置部２０Ｃは、撮影部２５と、画像生成部２８ａ・２８ｂと、画像生成部２８ａに対応する情報結合部２９ａと、画像生成部２８ｂに対応する情報結合部２９ｂとを備えて構成される。検査装置部２０Ｃは、例えば医用画像診断装置であり、図１においては検査装置部２０Ｃの一例として、ＰＥＴ装置２６およびＸ線ＣＴ装置２７からなるＰＥＴ−ＣＴを例示している。ただし、検査装置部２０Ｃとしては、ＳＰＥＣＴ−ＣＴ・ＩＶＲ−ＣＴ・核医学とＭＲＩとを組み合わせて行う検査といったような複合検査にかかる検査装置だけでなく、その他の検査にかかる超音波診断装置、Ｘ線ＣＴ装置・ＭＲＩ装置・ＤＦ装置など種々の装置がある。
【００４１】
検査装置部２０Ｃは、画像装置制御部２４を通じて複合検査制御部２０Ｂからオーダ情報を受ける。また、検査装置部２０Ｃは、オーダ情報を受けると、ユーザによるそのオーダに応じた必要な指示を撮影部２５の各装置に送信する。必要な指示とは、患者（被検体）の撮影等画像の取得および生成に必要な指示である。図１においては、ＰＥＴ装置２６にはＰＥＴ装置２６による撮影等を指示するＰＥＴオーダ情報が、Ｘ線ＣＴ装置２７にはＸ線ＣＴ装置２７による撮影等を指示するＣＴオーダ情報が送られる。各装置はそれらのオーダ情報に基づき患者の撮影等を行う。
【００４２】
各装置による患者の撮影等から得られた各撮像データは、検査装置部２０Ｃの画像生成部２８ａ・２８ｂに送信される。図１の例において、画像生成部２８ａは、ＰＥＴ装置２６からの撮像データおよびＰＥＴオーダ情報の条件等に基づいて医用画像データの生成を行う。同様に画像生成部２８ｂは、Ｘ線ＣＴ装置２７からの撮像データおよびＣＴオーダ情報の条件に基づいて医用画像データの生成を行う。
【００４３】
画像生成部２８ａにより医用画像データが生成されると、情報結合部２９ａは、当該生成された医用画像データに検査情報を付加する。同じく、画像生成部２８ｂにより医用画像データが生成されると、情報結合部２９ｂは、当該生成された医用画像データに検査情報を付加する。このようにして付加される検査情報は、当該医用画像データに対応するオーダ情報に付加されていたものである。
【００４４】
複合検査制御部２０Ｂにおける画像装置制御部２４は、情報結合部２９ａ・２９ｂによって検査情報を付加した後、当該生成された医用画像が複合検査にかかるものであるかを判断する。この判断は、当該生成された医用画像データに対応するオーダ情報に基づいてなされる。例えば、図１のようなＰＥＴ−ＣＴによる複合検査の場合、ＰＥＴ装置２６に送信するＰＥＴオーダ情報に、複合検査にかかる他方のＸ線ＣＴ装置２７を特定する付帯情報が付加されていれば、画像装置制御部２４は生成された医用画像データが複合検査にかかるものであると判断する。
【００４５】
画像装置制御部２４によって、生成された医用画像データが複合検査にかかるものと判断された場合、情報結合部２９ａは、当該医用画像データに対応したオーダ情報に付加されていた付帯情報と、当該医用画像データをさらに結合する。図１の場合においては、ＰＥＴ装置２６によって得られた医用画像データと、ＰＥＴオーダ情報に付加されていたＸ線ＣＴ装置２７を特定する付帯情報とを結合する。この場合、同様に、情報結合部２９ｂは、Ｘ線ＣＴ装置２７によって得られた医用画像データとＰＥＴ装置２６を特定する付帯情報とをさらに結合する。なお、医用画像データと結合する情報は、付帯情報に代えて、その付帯情報に対応した、他方のモダリティにかかるＤＩＣＯＭ  Ｔａｇを付加してもよい。
【００４６】
検査装置部２０Ｃは、画像生成部２８ａによって医用画像データが生成され、情報結合部２９ａ・２９ｂによって当該医用画像データと検査情報とが結合されると、画像サーバ３０へと医用画像データを送信する。生成された医用画像データが複合検査にかかるものである場合は、情報結合部２９ａ・２９ｂによって医用画像データと付帯情報とが結合された後に医用画像データを送信する。
【００４７】
（画像サーバ３０の構成）
図１に示すように、画像サーバ３０は、画像サーバ制御部３１と、記憶部３２とを備えて構成される。この画像サーバ３０は、ＨＩＳ１０、ＲＩＳ２０Ａ、検査装置部２０Ｃや、画像表示装置４０等と連携しており、例えば、検査装置部２０Ｃ（各種の医用画像診断装置など）によって得られる医用画像データを、保管・通信・表示・読影できるシステムである。
【００４８】
例えば、図１に示すように、検査装置部２０Ｃから、ＰＥＴ装置２６またはＸ線ＣＴ装置２７の撮像データを基に生成された医用画像データを受けると、画像サーバ制御部３１は、記憶部３２に当該データをそれぞれ独立して記憶させる。この医用画像データは、検査装置部２０Ｃによって当該医用画像データに結合された検査情報を含んで記憶される。つまり、医用画像データは、検査情報に含まれる患者ＩＤ、患者の氏名、検査日付やモダリティを特定する情報ごとに体系づけて記憶される。このとき画像サーバ制御部３１は、医用画像データに付帯情報が結合されていれば、記憶部３２に、医用画像データを付帯情報とともに関連付けて記憶させる。
【００４９】
画像サーバ制御部３１は、画像表示装置４０や各端末（例えば、ＨＩＳ１０や医師端末１１）から特定の事項（検査種類や検査日付等の検査項目）についてのリスト表示の要求（例えば、検査日付「２００５／１２／１０」についてのリスト表示の要求）を受けたときは、その特定事項に関連する検査情報を記憶部３２から読み出して、あらかじめ記憶していた所定形式でリストを生成（例えば、図２、図３）する。
【００５０】
当該所望のリストが生成されると、リスト表示の要求側へ表示可能なリスト表示データとして送信する。そのとき、表示された検査情報のいずれかを指定することにより、指定された検査情報による画像データを記憶部３２から読み出し可能にするため、検査情報と医用画像データのアドレスを関連付けておく。
【００５１】
また、画像サーバ制御部３１は、記憶部３２に記憶されている医用画像データにかかる患者情報ごとに、検査情報および付帯情報と体系づけたリスト（例えば、図２、図３）を記憶しておいてもよい。さらに画像サーバ制御部３１は、記憶部３２に、当該リストを構成する個々の情報に複合検査にかかる検査情報等が含まれている場合、複合検査にかかる検査情報と付帯情報とを関連させて読み出せるようにデータを記憶させる。
【００５２】
また、画像表示装置４０や各端末（例えば、ＨＩＳ１０や医師端末１１）から、表示されたリスト上で指定されて特定の項目にかかる医用画像データの要求（パラメータ）を受けたときは、画像サーバ制御部３１は記憶部３２から要求に応じた医用画像データを読み出して、所望のリスト表示手段側へ表示可能なデータとして送信する。このとき要求された医用画像データが複合検査にかかるものである場合、画像サーバ制御部３１は記憶部３２から、当該要求されたデータに結合された付帯情報に基づき、その付帯情報にかかる医用画像データも読み出して送信する。
【００５３】
ここで上記リストの例を、図２および図３に示す。
【００５４】
図２は、検査日付ごとの検査情報の一覧である「検査日Ｌｉｓｔ」を示す図である。この「検査日Ｌｉｓｔ」は、例えば、画像表示装置４０から日付「２００５／１２／１０」を指定して検索要求およびリスト要求がなされ、画像サーバ制御部３１が記憶部３２にアクセスし、日付検索を行って作成したリストの例である。このリストは検査日付ごとにまとめられており、各患者ごとのＩＤ、患者の氏名、検査日付、検査種類、付帯情報が１行（横方向）ごとに表わされている。そして、このリストにおける列（縦方向）は検査種類（使用したモダリティの種類）ごとに整理されている。
【００５５】
また、図２における最前列の、患者ＩＤ「００００００１」にかかる検査情報欄（最右欄）には「ＳＰＥＣＴ」「ＣＴ」が表わされている。これは、患者ＩＤ「００００００１」の患者が、「ＳＰＥＣＴ−ＣＴ」による検査すなわち、複合検査を受けたことを示している。この場合においては、「ＳＰＥＣＴ−ＣＴ」の「ＳＰＥＣＴ」と「ＣＴ」という検査を特定する情報も示されている。つまり、複合検査もこの１検査として表されている。
【００５６】
また、この患者ＩＤ「００００００１」の患者が受けた「ＳＰＥＣＴ−ＣＴ」検査の情報を表示する列の１段下の列には、同じ患者ＩＤ「００００００１」の患者が受けた「ＣＲ」検査の情報が表示されている。この列の検査情報欄には、「ＣＲ」とだけ表示されているが、これは、この行に表示されている検査種類について、複合検査でない検査を実施した旨を示している。
【００５７】
図３は、Ｘ線ＣＴ装置を用いた検査ごとの検査情報の一覧である「ＣＴ  Ｌｉｓｔ」を示す図である。この「ＣＴ  Ｌｉｓｔ」は、例えば、画像表示装置４０から検査種類「ＣＴ検査」を指定して検索要求およびリスト要求がなされ、画像サーバ制御部３１が記憶部３２にアクセスし、モダリティ検索を行って作成したリストの例である。このリストも、各患者ごとのＩＤ、患者の氏名、検査日付、検査種類、付帯情報が横一列に表示されている。この図３における「ＣＴ  Ｌｉｓｔ」はモダリティごとにまとめられている他、患者の特定情報（氏名、ＩＤ等）ごとにまとめられている。その他は図２の「検査日Ｌｉｓｔ」と同様である。
【００５８】
これら図２または図３からも分かるように、複合検査を実施した場合であっても、ＣＴ検査とともに複合検査を行った他方のＰＥＴ検査が合わせて表示されるので、複合検査であることを見落とすおそれがない。
【００５９】
（画像表示装置４０の構成）
画像表示装置４０は、画像表示部４１、制御部４３、操作部４２などを備えて構成される。この画像表示装置４０は、診断を行うために、画像サーバ３０にアクセスして記憶部３２に記憶された検査情報に基づくリスト（例えば、図２、図３のリスト）や医用画像を要求してこれらを表示する。この制御部４３は画像表示部４１の表示制御や、操作部４３の制御、情報の出入力等の制御を行う。
【００６０】
ユーザによる操作部４２の操作などによって、画像サーバ３０に対し、この画像表示装置４０にリスト（例えば、図２の「検査日Ｌｉｓｔ」）を表示する要求がなされた場合、制御部４３は、画像サーバ３０に当該要求を送信する。前述のように、当該要求に応じ、画像サーバ制御部３１によって、検査情報等を含む当該リストのリスト表示データが送信されると、画像表示装置４０が受信し、制御部４３が受信したデータを画像表示部４１に表示させる。このとき、複合検査にかかる検査情報のデータが含まれている場合は、検査情報とともに、付帯情報を表示する（例えば図２）。
【００６１】
また、操作部４２の操作などによって、例えば、図２を表示中に、患者ＩＤ「００００００１」の「検査」項目を、ポインティングデバイス等により、ダブルクリック等で指定して、画像表示装置４０に所望の医用画像を表示する要求がなされた場合、制御部４３が画像サーバ３０に当該要求をする。前述のように画像サーバ制御部３１は当該要求に応じ所望の医用画像データを送信し、リストの場合と同様に、制御部４３が要求に応じた医用画像を画像表示部４１に表示させる。このとき、要求した医用画像が複合検査にかかるものである場合、画像サーバ制御部３１があわせて読み出した医用画像についても表示可能となるよう構成されている。なお、この医用画像とは、静止画、動画の双方を含む。
【００６２】
［ハードウェア構成］
ＨＩＳ１０、ＲＩＳ２０Ａ、複合検査制御部２０Ｂ、画像サーバ３０や画像表示装置４０や、医師端末１１のハードウェア構成は、それぞれがＣＰＵ、ＲＡＭ，ＲＯＭ、ＨＤＤ、ユーザインターフェイス、通信インターフェイスなどを備えたコンピュータなどで構成される。また、医師端末１１も同様のコンピュータで構成される。ここでは、これらのハードウェア構成については、その他の説明を省略する。
【００６３】
［動作］
以上のような本実施形態の医用画像管理システム１の動作について説明する。図４〜７は、医師等のユーザが特定の患者（被検体）の検査等を指示し、当該指示に基づいて医用画像データが生成され、当該医用画像データを保管、医用画像を閲覧する作業を説明するための医用画像管理システム１の一連の動作を表すフローチャートである。これらの図に基づいて医用画像管理システム１の動作の一例を説明する。
【００６４】
（ステップ１）
まず、ユーザ（医師等）は、検査装置部２０Ｃを用いて検査を行うために、医師端末１１（例えば、外科システムの医師端末など）から検査情報（モダリティ、患者情報など）を特定する。この検査情報の特定は患者を診断した結果などに応じてなされる。例えば、ユーザがＰＥＴ−ＣＴ等の複合検査としてオーダ情報を特定すると、そのオーダ情報には複合検査を示す情報が含まれる。また、ユーザによってオーダ情報の特定すべき項目がすべて特定され、ユーザが医師端末１１に対して、オーダ情報の送信指示をすると、オーダ情報はＨＩＳ１０に送信される。
【００６５】
（ステップ２）
ＨＩＳ１０は、医師端末１１等から検査のオーダ情報を受けると、そのオーダ情報が複合検査にかかるものであるかについて、受信したオーダ情報を解読し、判断する。この判断は、当該オーダ情報に複合検査を示す情報が含まれるか否かに基づいてなされる。
【００６６】
（ステップ３）
ＨＩＳ１０がオーダ情報を複合検査にかかるものであると判断した場合は（ステップ２；Ｙｅｓ）、ＨＩＳ１０は、当該オーダ情報を複合検査にかかるオーダ情報として、ＲＩＳ２０Ａに送信する。
【００６７】
（ステップ４）
ＨＩＳ１０が受信したオーダ情報を解読し、当該オーダ情報にかかる検査は複合検査でないと判断すると（ステップ２；Ｎｏ）、ＨＩＳ１０は、当該オーダ情報を複合検査でないオーダ情報として、ＲＩＳ２０Ａに送信する。
【００６８】
（ステップ５）
ＨＩＳ１０からＲＩＳ２０Ａにオーダ情報が送信されると、ＲＩＳ制御部２１は、当該オーダ情報にかかる検査が複合検査であるかについて判断する。このＲＩＳ制御部２１の判断は、ＲＩＳ制御部２１が、受信したオーダ情報を解読することにより行う。ＲＩＳ制御部２１による解読の結果、ステップ３おいてＨＩＳ１０が当該オーダ情報を複合検査にかかるオーダ情報として送信しているときは、ＲＩＳ制御部２１がそのオーダ情報を複合検査にかかるものとして判断し、または、ステップ４においてオーダ情報を複合検査でないオーダ情報として送信しているときは、そのオーダ情報を複合検査でないオーダ情報として判断する。
【００６９】
（ステップ６）
ＲＩＳ２０Ａが受信したオーダ情報を、ＲＩＳ制御部２１が複合検査にかかるものとして判断した場合（ステップ５；Ｙｅｓ）、ＲＩＳ制御部２１はそのオーダ情報について付帯情報付加部２２により、そのオーダ情報に対して、同一の複合検査にかかる他方のモダリティを特定する情報を付加する。例えば、ＰＥＴ−ＣＴによる複合検査の場合はＰＥＴ装置２６に対するオーダ情報にＸ線ＣＴ装置（検査）を特定する情報を付加する。同様に付帯情報付加部２２は、Ｘ線ＣＴ装置２７に対するオーダ情報にはＰＥＴ装置（検査）を特定する情報を付加する。
【００７０】
（ステップ７）
ステップ５においてＲＩＳ制御部２１がオーダ情報を複合検査でないオーダ情報として判断したとき（ステップ５；Ｎｏ）、または、ステップ６においてオーダ情報に付帯情報が付加されたときは、ＲＩＳ制御部２１は複合検査制御部２０Ｂにオーダ情報を送信する。複合検査制御部２０Ｂの画像装置制御部２４は、ユーザが操作部２３により操作指示等すると、検査装置部２０Ｃにオーダ情報を送信する。
【００７１】
（ステップ８）
検査装置部２０Ｃが複合検査制御部２０Ｂからオーダ情報を受信すると、画像装置制御部２４は、オーダ情報に対応する検査装置（図１においては、ＰＥＴ装置２６またはＸ線ＣＴ装置２７）を撮影等可能な状態とする。撮影等が可能な状態となり、ユーザ（放射線技師等）により、患者が撮影等されると、各検査装置から、画像生成部２８ａ・２８ｂに撮像データが送信される。画像生成部２８ａ・２８ｂが当該撮像データを受信すると、画像生成部２８ａ・２８ｂは医用画像データを生成する。
【００７２】
（ステップ９）
画像装置制御部２４は、画像生成部２８ａにより医用画像データが生成されたとき、その医用画像データにかかるオーダ情報に付加されていた検査情報と、その医用画像データを情報結合部２９ａにより結合する。同様に、情報結合部２９ｂは、画像生成部２８ｂによる医用画像データと、検査情報とを結合する。
【００７３】
（ステップ１０）
画像装置制御部２４は、情報結合部２９ａ・２９ｂにより医用画像データと検査情報が結合されたとき、その医用画像データに対応するオーダ情報に基づいて、そのオーダ情報に付帯情報が付加されていたかどうかを判断する。
【００７４】
（ステップ１１）
画像装置制御部２４は、生成された医用画像データに対応するオーダ情報に基づいて、付帯情報が付加されていたと判断した場合は（ステップ１０；Ｙｅｓ）、情報結合部２９ａ・２９ｂにより、その医用画像データに当該付帯情報を結合する。
【００７５】
（ステップ１２）
画像装置制御部２４は、ステップ１０において生成された医用画像データに対応するオーダ情報に付帯情報が付加されていないと判断したとき（ステップ１０；Ｎｏ）、または、ステップ１１において医用画像データに付帯情報が結合されたときは、画像サーバ３０に必要な情報が結合された医用画像データを送信する。
【００７６】
（ステップ１３）
画像サーバ３０が検査装置部２０Ｃから医用画像データを受信すると、画像サーバ制御部３１は、その医用画像データとともに、結合された検査情報や付帯情報を記憶する。
【００７７】
（ステップ１４）
ユーザが画像表示装置４０の操作部４２等により、特定項目を指定して医師端末１１や画像表示装置４０などに対して検査情報のリスト表示を要求する操作をすると、画像表示装置４０等の制御部４３等は、画像サーバ３０に対して、検査情報のリスト表示に必要な情報を要求する。
【００７８】
（ステップ１５）
画像サーバ３０がリスト表示に必要な情報の要求を受けると、画像サーバ制御部３１は記憶部３２に、記憶されている検査情報および付帯情報から指定された検査項目に関する情報を検索して、要求に応じた所定のリストを生成する。
【００７９】
（ステップ１６）
画像サーバ制御部３１によって所定のリストが生成されると、画像サーバ制御部３１は画像表示装置４０等にそのリストのデータを送信し、画像表示装置４０はそのリストのデータを取得する。
【００８０】
（ステップ１７）
画像表示装置等の制御部４３等は、画像サーバ３０から表示要求に応じた所定のリストのデータを取得すると、リスト表示データを画像表示部４１に送信し、画像表示部４１はそれを受けて所定のリストを表示する。このとき画像サーバ３０から取得したリスト表示データに付帯情報が含まれている場合は、画像表示部４１は、検査種類の項目に、付帯情報に応じた検査種類も表示する（例えば、図２または図３）。
【００８１】
（ステップ１８）
ユーザが所望の医用画像を閲覧するときは、例えば、まず操作部４２等により、画像表示装置４０の画像表示部４１（または、医師端末１１の画像表示部等）に表示された検査情報のリストからいずれかの検査情報等を選択して、医用画像を表示するための医用画像データを要求する。例えば、図２に示される検査項目をマウスなどによってクリックすることにより検査情報を選択する。
【００８２】
（ステップ１９）
ユーザが画像表示部４１等に表示された検査情報のリストから所望の医用画像データを要求する操作をすると、画像表示装置４０等の制御部４３等は、その選択した検査情報に付帯情報が結合されているかを判断する。
【００８３】
（ステップ２０）
画像表示装置４０等の制御部４３等は、ユーザが選択した検査情報に付帯情報が含まれていると判断した場合（ステップ２２；Ｙｅｓ）、画像サーバ３０に対して、ユーザの選択した検査情報に対応する医用画像データを要求するとともに、当該検査情報に含まれている付帯情報に対応する医用画像データも要求する。
【００８４】
（ステップ２１）
制御部４３等は、ユーザが選択した検査情報に付帯情報が含まれていないと判断した場合（ステップ２２；Ｎｏ）、画像サーバ３０に対して、ユーザの選択した検査情報に対応する医用画像データのみを要求する。
【００８５】
（ステップ２２）
画像サーバ３０が医用画像データの要求を受けると、画像サーバ制御部３１は記憶部３２から、要求に応じた医用画像データを読出し、画像表示装置４０に送信する。
【００８６】
（ステップ２３）
画像表示装置４０の制御部４３（または、医師端末１１の画像表示部等）は、画像サーバ３０から表示要求に応じた医用画像データを取得すると、その医用画像データを画像表示部４１に表示させる。このときステップ２１においてユーザが選択した検査情報に付帯情報が含まれている場合は、選択した検査情報に対応する医用画像と、含まれている付帯情報に対応する医用画像とをともに表示されることになる。
【００８７】
［作用・効果］
以上説明した本実施形態にかかる医用画像管理システム１の作用及び効果について説明する。
【００８８】
本実施形態にかかる医用画像管理システム１は、検査装置部２０Ｃに検査のオーダ情報を送信するに際して、当該オーダ情報が複合検査にかかるものかを判断する手段を備え、その判断に基づき、複合検査にかかる一方のオーダ情報に、他方のオーダ情報にかかる検査種類（モダリティ）を特定する情報を付帯情報として付加して送信するように構成されている。
【００８９】
したがって、検査装置部２０Ｃが患者（被検体）を撮影し、その撮像データから医用画像データが生成されたとき、この医用画像データと複合検査にかかる付帯情報を関連付けることが可能となるので、医用画像データの保管、閲覧などに際して、ユーザ（医師等）が医用画像データに含まれる検査情報（患者ＩＤや検査日付等）を参照して、複合検査であるかを判断する必要がなく、また、複合検査であることが明確に表示されるので、煩雑な作業を回避し、ユーザの判断を介さなければならないことによって複合検査であることを見落とすという事態を防止することができる。
【００９０】
また、本実施形態にかかる医用画像管理システム１は、複合検査にかかる医用画像データと付帯情報とを関連付けて記憶させるように構成されている。したがって、ユーザが医用画像データを検索するために、画像表示部等に表示された検査情報のリストを閲覧するときも、当該検査情報のリストに、所望の医用画像データに対応する検査情報に付帯情報が関連づけて表示されているので、複合検査である旨を容易に把握することができる。
【００９１】
また、複合検査にかかる医用画像データと付帯情報が関連付けて記憶されており、複合検査にかかる所望の医用画像の表示要求をした場合、表示要求にかかる医用画像データとともに付帯情報に対応する医用画像データが表示されるように構成されているので、表示要求にかかる医用画像データが複合検査かどうかを意識しなくても、医用画像管理システムにより自動的に管理することができる。
【００９２】
［変形例］
以上において説明した本実施形態にかかる医用画像管理システム１の構成は、本発明を実施するための一構成例に過ぎないものである。したがって、本発明の要旨の範囲内において適宜、変形を施すことが可能である。
【００９３】
上記の本実施形態においては、複合検査にかかる一方のオーダ情報に対し、ＲＩＳサーバが付帯情報付加部により、同一の複合検査にかかる他方の検査を特定する付帯情報を付加する構成となっているが、同一の複合検査にかかるオーダ情報のすべてに対し、共通の情報を付帯情報として付加してもよい。この変形例であっても、前述の医用画像管理システム１と同様の効果を得ることが可能である。
【００９４】
例えば、検査のオーダ情報に基づき、医用画像診断装置が患者（被検体）を撮影等し、医用画像データを生成した後、付帯情報としてオーダ情報に付加されていた共通の情報を情報結合部により生成された医用画像データに結合することで、画像サーバが医用画像データを記憶するときに、その医用画像データと、医用画像データに結合された当該共通の情報を関連付けて記憶することが可能となる。
【００９５】
したがって、この変形例においても、ユーザが画像表示装置に所望の医用画像データを検索するために検査情報のリストを閲覧した場合、複合検査にかかる各検査情報のそれぞれには、共通の情報が関連付けて記憶されているから、同一の複合検査にかかる検査情報はすべて関連づけられてリストに表示されるので、複合検査である旨を明確に表示することができる。
【００９６】
また、このリストから複合検査にかかる医用画像データの表示要求をした場合、画像サーバが、表示要求にかかる医用画像データと、同一の複合検査にかかるその他の医用画像データを当該共通の情報に基づいて読み出し、画像表示装置に送信することが可能であるから、複合検査である旨を見落とす事態を防止することができる。
【００９７】
また、本実施形態においてはＨＩＳ、ＲＩＳ、画像サーバなどのシステムを用いた構成となっているが、本発明は、さらに当該医用画像管理システムを細分化したものであってもよいし、または、各システムを統合して単純化してもよい。例えば、ＲＩＳと画像サーバを統合したシステムもしくはＨＩＳとＲＩＳと画像サーバを統合したシステムとして構成してもよい。このように医用画像管理システムを複雑化または単純化したときであっても、本発明によれば、医用画像診断装置から生成される医用画像データと、複合検査であることを示す付帯情報を結合することで、煩雑さを回避するとともに、複合検査であることを正確に把握することが可能な医用画像管理システムを提供することができる。
【００９８】
実施形態によれば、関連付けられた複数のモダリティを組み合わせて患者の検査を行う複合検査を実施する場合でも、オーダ情報に付加された各モダリティを特定する各検査情報と、同一の複合検査にかかる他のモダリティを特定する各付帯情報とを関連付けて、医用画像データとともに記憶する構成となっているから、複合検査にかかる検査情報や付帯情報についてリストに表示するときであっても、複合検査にかかるものであることを明確に表示することができ、医用画像等の閲覧をするユーザがリスト表示されている情報から判断しなくても複合検査であることを認識可能であり、煩雑さを回避することができる。さらに、ユーザが複合検査である旨を見落とすという事態を防止することができる。
【００９９】
また、実施形態によれば、医用画像データに検査情報と付帯情報が付加されて記憶されているから、複合検査にかかる医用画像を表示したときは、当該医用画像にかかる医用画像データに付加された付帯情報に基づき同一の複合検査にかかる他の医用画像を自動的に表示することが可能となり、検査のオーダ時に生じた情報を有効に利用し、煩雑な作業を回避することができる。
【０１００】
また、実施形態によれば、複合検査を実施する場合でも、オーダ情報に付加された各モダリティを特定する各検査情報と、同一の複合検査にかかるオーダ情報のそれぞれに付加された共通の情報とを関連付けて、医用画像データとともに記憶する構成となっているから、複合検査にかかる検査情報ついてリストに表示するとともに、その検査情報と関連付けて記憶されている共通の情報によって、同一の複合検査にかかる他の検査情報をも明確に表示することができ、医用画像等の閲覧をするユーザがリスト表示されている情報から特に意識しなくても複合検査であることを認識することができ、煩雑さを回避することができる。さらに、ユーザが複合検査である旨を見落とすという事態を防止することができる。
【０１０１】
また、実施形態によれば、医用画像データに検査情報と共通の情報が付加されて記憶されているから、複合検査にかかる医用画像を表示したときは、当該医用画像にかかる医用画像データに付加された共通の情報に基づき、その共通の情報が付加されている他の医用画像データを検索し、同一の複合検査にかかる他の医用画像を自動的に表示することが可能となり、検査のオーダ時に生じた情報を有効に利用し、煩雑な作業を回避することができる。
【０１０２】
なお、以上説明した実施の形態は、本発明の理解を容易にするために記載されたものであって、本発明を限定するために記載されたものではない。したがって、上記の実施の形態に開示された各要素は、本発明の技術的範囲に属する全ての設計変更や均等物をも含む趣旨である。
【符号の説明】
【０１０３】
１  医用画像管理システム
１０  ＨＩＳ
１１  医師端末
２０Ａ  ＲＩＳ
２０Ｂ  複合検査制御部
２０Ｃ  検査装置部
２１  ＲＩＳ制御部
２２  付帯情報付加部
２３  操作部
２４  画像装置制御部
２５  撮影部
２６  ＰＥＴ装置
２７  Ｘ線ＣＴ装置
２８ａ，２８ｂ  画像生成部
２９ａ，２９ｂ  情報結合部
３０  画像サーバ
３１  画像サーバ制御部
３２  記憶部
４０  画像表示装置
４１  画像表示部
４２  操作部
４３  制御部
【図１】
0005689922.tif 000002
【図２】
0005689922.tif 000003
【図３】
0005689922.tif 000004
【図４】
0005689922.tif 000005
【図５】
0005689922.tif 000006
【図６】
0005689922.tif 000007
【図７】
0005689922.tif 000008
【図８】
0005689922.tif 000009